(57)【特許請求の範囲】
【請求項１】
壁部又は床部に取付け配置された支持具と、支持具に支持されて壁面から手前へ張り出して左右方向へ延びるカウンターと、前後方向で係合してカウンターを手前へ移動させない第１係止手段と、上下方向で係合してカウンターを上方へ移動させない第２係止手段とを備えたカウンター取付構造において、前記カウンターの下面に併合具が取付け固定され、前記第１係止手段は、前記支持具に設けられ左右方向の何れか一方へ延びる第１係止具と、上記併合具に設けられ左右方向の他方へ延びて第１係止具と係合する第１係止片を備え、前記第２係止手段は、上記併合具に設けられ上記他方へ延びる第２係止具と、前記支持具に設けられ上記一方へ延びて第２係止具と係合する第２係止片を備え、前記支持具に前記カウンターを支持させた状態で、カウンターを他方又は一方へ移動させることで、第１係止手段及び第２係止手段を係合状態又は非係合状態となるようにしたことを特徴とするカウンター取付構造。
【請求項２】
前記第２係止具にネジ挿通孔を設けると共に前記第２係止片に雌ねじを設け、前記第２係止手段が係合状態のときに、ネジ挿通孔を介してを雌ねじに雄ネジを螺着脱できるようにした請求項１記載のカウンター取付構造。
【発明の詳細な説明】
【技術分野】
【０００１】
本発明は、壁面からカウンターを張出すように取付けるカウンター取付構造に関するものである。
【背景技術】
【０００２】
従来、カウンター取付構造５１には、取付け後の状態を示す図７（Ａ）及び取付け前の状態を示す同図（Ｂ）に示す如く、カウンター５２の奥側の端縁５２ａに、切欠部５３，５３を有する垂下部５４，５４が設けられると共に、カウンター５２の奥側に面した壁面Ｗａに、各切欠部５３に上方から挿脱自在に挿入されてカウンター５２の奥側に面した壁面Ｗａと直交する方向にカウンター５２を係止する第１の係止具５５，５５が固定され、カウンター５２を支持する支持具５６，５７の各々に、水平方向（矢符Ｈ方向）に向けて突出する突出片５８が設けられると共に、カウンター５２の裏側に、各突出片５８に上方から挿脱自在に係合してカウンター５２を支持具５６，５７に係止する第２の係止具５９，５９が固定されたものがある（特許文献１）。更に、カウンター取付構造５１は、支持具６０に、カウンター５２の側端縁５２ｂに接離自在に当接してカウンター５２の水平方向（矢符Ｈ方向）への移動を阻止する阻止具６１が設けられている。
【特許文献１】特開平７−４０８１号公報
【発明の開示】
【発明が解決しようとする課題】
【０００３】
しかし、従来のカウンター取付構造５１は、壁面Ｗａと直交する方向にカウンター５２を係止する垂下部５４及び第１の係止具５５からなる第１係止手段６２と、上下方向にカウンター５２を係止する突出片５８及び第２の係止具５９からなる第２係止手段６３と、カウンター５２の水平方向への移動を阻止する阻止具６１からなる阻止手段６４が個別に設けられている。そのため、従来のカウンター取付構造５１は、カウンター５２及び壁面Ｗａに、第１係止手段６２の構成部材等と、第２係止手段６３の構成部材等とを個別に設けるのに多くの手間を必要とし、施工に長時間を要する問題がある。また、従来のカウンター取付構造５１は、阻止手段６４を設けるとき、第１係止手段６２及び第２係止手段６３と別個に設ける必要があるため、更に多くの手間を必要とする。
【０００４】
本発明は、上記問題を解決するために、従来に比べ短時間で施工できるカウンター取付構造の提供を目的とする。
【課題を解決するための手段】
【０００５】
従来に比べ短時間で施工できるようにするために請求項１記載の本発明が採用した手段は、壁部又は床部に取付け配置された支持具と、支持具に支持されて壁面から手前へ張り出して左右方向へ延びるカウンターと、前後方向で係合してカウンターを手前へ移動させない第１係止手段と、上下方向で係合してカウンターを上方へ移動させない第２係止手段とを備えたカウンター取付構造において、前記カウンターの下面に併合具が取付け固定され、前記第１係止手段は、前記支持具に設けられ左右方向の何れか一方へ延びる第１係止具と、上記併合具に設けられ左右方向の他方へ延びて第１係止具と係合する第１係止片を備え、前記第２係止手段は、上記併合具に設けられ上記他方へ延びる第２係止具と、前記支持具に設けられ上記一方へ延びて第２係止具と係合する第２係止片を備え、前記支持具に前記カウンターを支持させた状態で、カウンターを他方又は一方へ移動させることで、第１係止手段及び第２係止手段を係合状態又は非係合状態となるようにしたことを特徴とするカウンター取付構造である。
【０００６】
カウンターの水平方向への移動を阻止する阻止手段を簡単に得るために請求項２記載の本発明が採用した手段は、前記第２係止具にネジ挿通孔を設けると共に前記第２係止片に雌ねじを設け、前記第２係止手段が係合状態のときに、ネジ挿通孔を介してを雌ねじに雄ネジを螺着脱できるようにした請求項１記載のカウンター取付構造である。なお、螺着した雄ネジが第２係止片からカウンター側へ突出するときには、カウンターの下面に雄ネジ逃がし用の凹部を予め設けておくとよい。
【発明の効果】
【０００７】
請求項１記載の本発明に係るカウンター取付構造は、支持具を取付け配置すると共にカウンターの下面に併合具を取付け固定するたけで、第１係止手段及び第２係止手段を得ることができるので、従来に比べて短時間で第１係止手段及び第２係止手段を得ることが可能となり、施工時間を短縮することができる。
【０００８】
請求項２記載の本発明に係るカウンター取付構造は、第２係止手段に雄ネジを螺着するだけで、カウンターの水平方向への移動を阻止する阻止手段を簡単に得ることができるので、従来に比べて施工時間を短縮することができる。
【発明を実施するための最良の形態】
【０００９】
本発明に係るカウンター取付構造（以下、「本発明取付構造」と言う。）を図面に示す実施形態に基づいて説明する。図１乃至図６は本発明の実施の形態を示すものであり、図１（Ａ）は施工後の状態を示すものであつて、カバー１４の一部を破断した正面図、同図（Ｂ）は支持具３にカウンター２を載置する前の状態を示す正面図である。図２は図１のＩＩ−ＩＩ線で断面して拡大した左側面図、図３（Ａ）は第１係止手段４及び第２係止手段５の係合状態を示す拡大した正面図、同図（Ｂ）は同図（Ａ）のｂ−ｂ線で断面した第１係止手段４の平面図である。図４は壁部Ｗに取付け配置する支持具３を示す斜視図であって、図（Ａ）は支持具３を構成する取付具７と支持具本体８とを分離した状態を示し、図（Ｂ）は壁部Ｗに取付け配置した状態を示すものである。図５は併合具１２を示す斜視図であって、図（Ａ）は併合具１２及び雄ネジ１３，１３を示し、図（Ｂ）はカウンター２の下面（裏面）に取付け固定した状態においてカウンター２を破断して示すものである。図６は第１係止手段４及び第２係止手段５を示す斜視図であって、図（Ａ）は支持具３にカウンター２を載置したときの両係止手段４，５の非係合状態を示し、図（Ｂ）は両係止手段４，５の係合状態においてカウンター２を左右方向に沿って断面して示すものである。
【００１０】
本実施の形態に係る本発明構造１は、図１に示す如く、壁部Ｗに取付け配置された複数個（本例は３個）の支持具３と、支持具３に支持されて壁面Ｗａから手前へ張り出して左右方向へ延びるカウンター２と、前後方向で係合してカウンター２を手前へ移動させない第１係止手段４と、上下方向で係合してカウンター２を上方へ移動させない第２係止手段５と、カウンター２を左右方向へ移動させない阻止手段６とを備えている。
【００１１】
前記支持具３は、図４に示す如く、鋼等の金属片を折曲げ加工する等して成形され、壁部Ｗにビス等の接合具９で取付け固定した取付具７と、取付具７に係合した支持具本体８とからなる。取付具７は、壁用取付片７ａと、壁用取付片７ａの上端縁から手前へ水平に延びる水平支持片７ｂとからなり、壁用取付片７ａの途中に段部７ａ−１を形成するように上半部を手前に折曲起立させて壁面Ｗａとの間に上端開口の挿入間隙Ｄを形成すると共に、壁用取付片７ａの下端縁から係止片７ｃを起立させて係止溝７ｄを設けてある。支持具本体８は、取付具７に係合する起立片部８ａと、起立片部８ａの上端縁から手前へ水平に延びる水平支持片８ｂと、起立片部８ａの一方（本例では、左方）の側縁から一方へ延設した第１係止具８ｃと、水平支持片８ｂの他方（本例では、右方）の側縁から下方へ延設した補強片８ｄとからなり、起立片部８ａに開設した開口部８ａ−３の上下に上縁部８ａ−１及び係止片部８ａ−２が形成されていると共に、水平支持片８ｂの一方（本例では、左方）の側縁寄りに一方へ延びる第２係止片８ｂ−１が形成され、更に第２係止片８ｂ−１に雌ネジ８ｆが設けられている。第１係止具８ｃは、図４（Ｂ）に示す如く、壁面Ｗａとの間に係合用隙間Ｆを形成するようにしてあり、また、一方縁に案内用折曲片８ｃ−１を形成して後述する併合具１２の第１係止片部１２ｂ−１との係合（図６及び図３参照）をし易くしてある。
【００１２】
前記支持具３は、支持具本体８の開口部８ａ−３へ取付具７の水平支持片７ｂを差し込ませて、壁面ａＷと取付具７の間に形成されている挿入間隙Ｄへ支持具本体８の開口上縁部８ａ−１を係合させると共に、取付具７の係止溝７ｂへ支持具本体８の係止片部８ａ−２を差込んで係止片７ｃと係合させて前後方向へ移動させないようにして、取付具７の水平支持片７ｂに支持具本体８の水平支持片８ｂを重ね合わせられる。更に、支持具３は、取付具７に係合した支持具本体８が上方へ離脱しないように、支持具本体８の挿通孔８ｅへ挿通したボルト等の接合具１０を取付具７の雌ねじ７ｅに螺着して、取付具７と支持具本体８を接合して組立てられる。なお、支持具３は、図示は省略したが、取付具７を用いることなく、壁部Ｗに支持具本体８を直接に取付ける態様も可能である。
【００１３】
前記カウンター２は、図２及び図５（Ｂ）に示す如く、合成樹脂素材等から成形され、下面（裏面）側に左右方向へ延びる凸条部２ａ，２ａ及び凹部２ｂ，２ｂ，２ｂを設け、前記支持具３に凸条部２ａ，２ａを載置して支持させると共に、凹部２ｂに前記支持具３の接合具１０の頭部や、後述する阻止手段６を構成する雄ネジ１１の先端を突入させるようにしてある。カウンター２は、各凸条部２ａにナットを埋込む等して雌ネジ部２ｃを設けてある。
【００１４】
前記カウンター２は、図５に示す如く、下面に併合具１２を取付け固定してある。併合具１２は、鋼等の金属片を折曲げ加工する等して成形され、水平取付部１２ａと、水平取付部１２ａの後端縁から下方へ延びる起立取付片１２ｂと、水平取付部１２ａの他方（本例では右方）側縁から他方へ延びる第２係止具１２ｃとからなり、起立取付片１２ｂの他方の縁側寄りに他方へ延びる第１係止片１２ｂ−１が形成され、水平取付部１２ａに挿通孔１２ｄ，１２ｄが設けられていると共に、第２係止具１２ｃにネジ挿通孔１２ｅが設けられている。併合具１２は、各挿通孔１２ｄへ挿通した雄ネジ１３をカウンター２に設けた雌ネジ部２ｃに螺着することで、カウンター２に取付け固定される（図２参照）。第２係止具１２ｃは、図５（Ｂ）に示す如く、カウンター２の凸条部２ａとの間に係合用隙間Ｅを形成するようにしてあり、また、他方縁に案内用折曲片１２ｃ−１を形成して前記支持具３の第２係止片部８ｂ−１との係合（図６及び図３（Ａ）参照）をし易くしてある。  
【００１５】
前記第１係止手段４は、図６及び図３に示す如く、前記支持具３に形成した第１係止具８ｃと、前記併合具１２に形成した第１係止片１２ｂ−１とからなり、第１係止具８ｃに第１係止片１２ｂ−１を前後方向で係合させてカウンター２を手前へ移動させないようにしてある。第１係止手段４は、係合状態において、第１係止具８ｃがその反発弾性力で第１係止片１２ｂ−１を後方へ押圧することで、第１係止片１２ｂ−１と一体のカウンター２を壁面Ｗａへ押し付けてカウンター２の前後方向のガタ付きを生じさせないようにしてある。第１係止具８ｃの反発弾性力による押圧力は、壁部Ｗから受ける反力で相殺されることになる。
【００１６】
前記第２係止手段５は、図６及び図３（Ａ）に示す如く、前記支持具３に形成した第２係止片８ｂ−１と、前記併合具１２に形成した第２係止具１２ｃとからなり、第２係止具１２ｃに第２係止片８ｂ−１を上下方向で係合させてカウンター２を上方へ移動させないようにしてある。第２係止手段５は、係合状態において、第２係止具１２ｃがその反発弾性力で第２係止片８ｂ−１を上方へ押圧することで、第２係止具１２ｃと一体のカウンター２を支持具３へ押し付けてカウンター２の上下方向のガタ付きを生じさせないようにしてある。
【００１７】
前記阻止手段６は、図６に示す如く、前記併合具１２に設けたネジ挿通孔１２ｅと、前記支持具３に設けた雌ネジ８ｆと、雄ネジ１１とからなり、前記第２係止手段５の第２係止具１２ｃと第２係止片８ｂ−１が係合状態のときに、雄ネジ１１をネジ挿通孔１２ｅへ挿通して雌ネジ８ｆに螺着（図３（Ａ）参照）することで、カウンター２の左右方向への移動を阻止するようにしてある。
【００１８】
次に、本実施の形態に係る本発明構造１の施工手順を説明する。
先ず、図１（Ａ）に示す如く、カウンター２の下面の所定位置に、左右方向に沿って一定間隔Ｐ毎に併合具１２の複数個（本例では、３個）を取付け固定すると共に、壁面Ｗａの所定位置に左右方向に沿って一定間隔Ｐ毎に支持具３の複数個（本例では、３個）を取付けて配置する。
【００１９】
次に、カウンター２を複数個の支持具３に載置して支持させつつ左右方向へ沿って他方（本例では、右方）へ移動させ、第１係止手段４及び第２手段５の各々を並行して係合させる。
最後に、少なくとも一つの阻止手段６の雄ネジ１１を螺着すると共に、カウンター２の下方にカバー１４を取付け配置して完了する。なお、カバー１４は、支持具３の支持具本体８の補強片８ｄに連結するか、またはカウンター２に連結する等して取付けられる。
【００２０】
本発明構造１は、図１に示す如く、壁部Ｗに複数個の支持具３を取付け配置すると共にカウンター２の下面に複数個の併合具１２を取付け固定するたけで、第１係止手段４及び第２係止手段５を得ることができるので、従来に比べて短時間で第１係止手段４及び第２係止手段５を得ることが可能となり、施工時間を短縮することができる。更に、本発明構造１は、第２係止手段５の第２係止片８ｂ−１に雄ネジ１１を螺着するだけで、カウンター２の水平方向への移動を阻止する阻止構造を簡単に得ることができるので、従来に比べて施工時間を短縮することができる。
【００２１】
本発明構造１は、図１に示す本実施の形態の如く、一方を左にすると共に他方を右にしているが、逆に一方を右にすると共に他方を左にすることも可能であり、また、複数個の支持具３の取付け固定を本実施の形態のように壁部Ｗに対して行う以外に、図示は省略しが、床部に対して複数個の支持具３を取付け固定して壁面Ｗａに沿って起立させる態様も可能である。
【産業上の利用可能性】
【００２２】
本発明構造１は、浴室の壁部Ｗに施工する以外に、洗面室等の壁部等に沿って施工することもある。
【図面の簡単な説明】
【００２３】
【図１】本発明の実施の形態を示すものであり、図（Ａ）は施工後の状態を示すものであつて、カバーの一部を破断した正面図、図（Ｂ）は支持具にカウンターを載置する前の状態を示す正面図である。
【図２】図１のＩＩ−ＩＩ線で断面して拡大した左側面図である。
【図３】図（Ａ）は同実施の形態における第１係止手段及び第２係止手段の係合状態を示す拡大した正面図、図（Ｂ）は図（Ａ）のｂ−ｂ線で断面した平面図である。
【図４】同実施の形態において、壁部に取付け固定する支持具を示す斜視図であって、図（Ａ）は取付具と支持具本体とを分離した状態を示し、図（Ｂ）は壁部に取付け固定した状態を示すものである。
【図５】同実施の形態における併合具を示す斜視図であって、図（Ａ）は併合具及び雄ネジを示し、図（Ｂ）はカウンターの下面（裏面）に取付け固定した状態においてカウンターを破断して示すものである。
【図６】同実施の形態における第１係止手段及び第２係止手段を示す斜視図であって、図（Ａ）は支持具にカウンターを載置したときの両係止手段の非係合状態を示し、図（Ｂ）は両係止手段の係合状態においてカウンターを左右方向に沿って断面して示すものである。
【図７】従来のカウンター取付構造を示す正面図であって、図（Ａ）は取付け後の状態を示し、図（Ｂ）取付け前の状態を示すものである。
【符号の説明】
【００２４】
２…カウンター、３…支持具、４…第１係止手段、５…第２係止手段、６…阻止手段、７…取付具、８…支持具本体、８ｂ−１…第２係止片、８ｃ…第１係止具、１２…併合具、１２ｂ−１…第１係止片、１２ｃ…第２係止具
【図１】
0004991491.tif 000002
【図２】
0004991491.tif 000003
【図３】
0004991491.tif 000004
【図４】
0004991491.tif 000005
【図５】
0004991491.tif 000006
【図６】
0004991491.tif 000007
【図７】
0004991491.tif 000008